(57)【要約】      （修正有）【課題】所望のお寺に対して、より簡単に供養や祈願を申込み、より効率的、効果的に実施させることが可能な供養申込受付装置等を提供する。【解決手段】申込者の端末２から、少なくとも、供養対象の名称、供養実施日、及びメールアドレスを入力し、ネットワークを介した供養・祈願申込受付ザーバ１では、入力された供養対象の名称、供養実施日、及びメールアドレスを取得し、これらを対応付けて登録し、ネットワークを介したお寺の端末３からの要求に応じて、登録された供養対象の名称及び供養実施日が含まれる申込情報を当該お寺の端末３に選択可能に表示させ、お寺の端末３にて選択された申込情報に対応する供養実施の完了通知メールを申込情報に対応したメールアドレスの申込者の端末２に送信する。【選択図】図１
2005157614.tif 000002
【特許請求の範囲】
【請求項１】
申込者の端末及びお寺の端末がネットワークを介して接続される供養申込受付装置であって、
前記ネットワークを介した前記申込者の端末からの要求に応じて、少なくとも、供養対象の名称、供養実施日、及びメールアドレスの入力欄が設けられた申込入力画面を当該申込者の端末に表示させる申込入力画面提示手段と、
前記表示された申込入力画面の前記入力欄に入力された供養対象の名称、供養実施日、及びメールアドレスを前記ネットワークを介して取得し、これらを対応付けて登録する申込情報登録手段と、
前記ネットワークを介した前記お寺の端末からの要求に応じて、少なくとも前記登録された供養対象の名称及び供養実施日が含まれる申込情報を当該お寺の端末に選択可能に表示させる申込情報提示手段と、
前記お寺の端末にて選択された申込情報に対応する供養実施の完了通知メールを生成する完了通知メール生成手段と、
前記選択された申込情報に対応するメールアドレスに基づいて前記生成された完了通知メールを前記申込者の端末に送信する完了通知メール送信手段と、を備えることを特徴とする供養申込受付装置。
【請求項２】
請求項１に記載の供養申込受付装置において、
前記申込入力画面には、位牌画像の選択欄が設けられており、
前記申込情報登録手段は、前記表示された申込入力画面の前記選択欄にて選択された位牌画像を認識し、当該位牌画像を、前記供養対象の名称、供養実施日、及びメールアドレスに対応付けて登録し、
前記完了通知メール生成手段は、前記選択された申込情報に対応する前記登録された位牌画像上に前記登録された供養対象の名称が記述された提供位牌画像を生成し、当該提供位牌画像が貼り付けられた完了通知メールを生成し、
前記完了通知メール送信手段は、前記提供位牌画像が貼り付けられた前記完了通知メールを前記申込者の端末に送信することを特徴とする供養申込受付装置。
【請求項３】
請求項１に記載の供養申込受付装置において、
前記申込入力画面には、供養対象の写真画像の指定欄が設けられており、
前記申込情報登録手段は、前記表示された申込入力画面の前記指定欄にて指定された前記供養対象の写真画像を、前記供養対象の名称、供養実施日、及びメールアドレスと共に前記ネットワークを介して取得し、これらを対応付けて登録し、
前記完了通知メール生成手段は、前記選択された申込情報に対応する前記登録された写真画像に基づいて遺影画像を生成し、当該生成された遺影画像が貼り付けられた完了通知メールを生成し、
前記完了通知メール送信手段は、前記遺影画像が貼り付けられた前記完了通知メールを前記申込者の端末に送信することを特徴とする供養申込受付装置。
【請求項４】
請求項３に記載の供養申込受付装置において、
前記完了通知メール生成手段は、前記選択された申込情報に対応する前記登録された写真画像に対して油絵化処理を施して油絵調の遺影画像を生成することを特徴とする供養申込受付装置。
【請求項５】
申込者の端末及びお寺の端末がネットワークを介して接続される祈願申込受付装置であって、
前記ネットワークを介した前記申込者の端末からの要求に応じて、少なくとも、祈願対象の名称、祈願実施日、及びメールアドレスの入力欄と、祈願内容の選択欄とが設けられた申込入力画面を当該申込者の端末に表示させる申込入力画面提示手段と、
前記表示された申込入力画面の前記入力欄に入力された祈願対象の名称、祈願実施日、祈願内容、及びメールアドレスを前記ネットワークを介して取得すると共に、前記選択欄にて選択された祈願内容を認識し、これらを対応付けて登録する申込情報登録手段と、
前記ネットワークを介した前記お寺の端末からの要求に応じて、少なくとも前記登録された祈願対象の名称、祈願実施日、及び祈願内容が含まれる申込情報を当該お寺の端末に選択可能に表示させる申込情報提示手段と、
前記お寺の端末にて選択された申込情報に対応する祈願実施の完了通知メールを生成する完了通知メール生成手段と、
前記選択された申込情報に対応するメールアドレスに基づいて前記生成された完了通知メールを前記申込者の端末に送信する完了通知メール送信手段と、を備えることを特徴とする祈願申込受付装置。
【請求項６】
請求項５に記載の祈願申込受付装置において、
祈願内容に応じてイラストが互いに異なる複数のイラスト画像を登録するイラスト画像データベースを更に備え、
前記完了通知メール生成手段は、前記選択された申込情報に対応する前記登録された祈願内容に応じたイラスト画像を前記イラスト画像データベースから取得し、当該イラスト画像が貼り付けられた完了通知メールを生成し、
前記完了通知メール送信手段は、前記イラスト画像が貼り付けられた前記完了通知メールを前記申込者の端末に送信することを特徴とする祈願申込受付装置。
【請求項７】
コンピュータを、請求項１乃至４の何れか一項に記載の供養申込受付装置として機能させることを特徴とする供養申込受付処理プログラム。
【請求項８】
請求項７に記載の供養申込受付処理プログラムがコンピュータ読み取り可能に記録されたことを特徴とする記録媒体。
【請求項９】
コンピュータを、請求項５又は６に記載の祈願申込受付装置として機能させることを特徴とする祈願申込受付処理プログラム。
【請求項１０】
請求項９に記載の祈願申込受付処理プログラムがコンピュータ読み取り可能に記録されたことを特徴とする記録媒体。
【発明の詳細な説明】
【技術分野】
【０００１】
ネットワークを介して申込者の端末から供養又は祈願の申込情報を受け付け、その申込情報をお寺の端末にネットワークを介して伝送する供養又は祈願申込受付装置の技術分野に関する。
【背景技術】
【０００２】
先祖やペット等の供養や、家内安全や合格祈願等の祈願は、通常、供養若しくは祈願を希望する者が所望のお寺に行き住職（僧侶）等に実施してもらうものである。そして、その者は、お寺でお札等を受け取り、帰宅することが一般的であった。
【０００３】
一方、特許文献１には、手軽に先祖供養可能な祭事管理システムが開示されているが、供養若しくは祈願をインターネットを介して、より効率的、効果的に行う具体的手段は確立されていない。
【特許文献１】特開平２００２−１１７１６０号公報
【発明の開示】
【発明が解決しようとする課題】
【０００４】
ところで、供養又は祈願は、相性の良いお寺、或いは先祖代々お世話になってきたお寺で実施してもらうことが最も望ましいのであるが、何らかの理由（例えば、遠方（特に、引越し）、体調不良、業務多忙等）により所望のお寺まで行く事が困難な場合がある。
【０００５】
このような場合、所望のお寺を代えたり、供養や祈願の実施を断念せざるを得ないという問題があった。
【０００６】
本発明は、以上の問題に鑑みてなされたものであり、所望のお寺に対して、より簡単に供養や祈願を申込み、より効率的、効果的に実施させることが可能な供養申込受付装置及び祈願申込受付装置等を提供することを課題とする。
【課題を解決するための手段】
【０００７】
上記課題を解決するため、第１の発明は、申込者の端末及びお寺の端末がネットワークを介して接続される供養申込受付装置であって、前記ネットワークを介した前記申込者の端末からの要求に応じて、少なくとも、供養対象の名称、供養実施日、及びメールアドレスの入力欄が設けられた申込入力画面を当該申込者の端末に表示させる申込入力画面提示手段と、前記表示された申込入力画面の前記入力欄に入力された供養対象の名称、供養実施日、及びメールアドレスを前記ネットワークを介して取得し、これらを対応付けて登録する申込情報登録手段と、前記ネットワークを介した前記お寺の端末からの要求に応じて、少なくとも前記登録された供養対象の名称及び供養実施日が含まれる申込情報を当該お寺の端末に選択可能に表示させる申込情報提示手段と、前記お寺の端末にて選択された申込情報に対応する供養実施の完了通知メールを生成する完了通知メール生成手段と、前記選択された申込情報に対応するメールアドレスに基づいて前記生成された完了通知メールを前記申込者の端末に送信する完了通知メール送信手段と、を備えることを特徴とする。
【０００８】
更に、上記第１の発明に係る供養申込受付装置においては、前記申込入力画面には、位牌画像の選択欄が設けられており、前記申込情報登録手段は、前記表示された申込入力画面の前記選択欄にて選択された位牌画像を認識し、当該位牌画像を、前記供養対象の名称、供養実施日、及びメールアドレスに対応付けて登録し、前記完了通知メール生成手段は、前記選択された申込情報に対応する前記登録された位牌画像上に前記登録された供養対象の名称が記述された提供位牌画像を生成し、当該提供位牌画像が貼り付けられた完了通知メールを生成し、前記完了通知メール送信手段は、前記提供位牌画像が貼り付けられた前記完了通知メールを前記申込者の端末に送信することを特徴とする。
【０００９】
更に、上記第１の発明に係る供養申込受付装置においては、前記申込入力画面には、供養対象の写真画像の指定欄が設けられており、前記申込情報登録手段は、前記表示された申込入力画面の前記指定欄にて指定された前記供養対象の写真画像を、前記供養対象の名称、供養実施日、及びメールアドレスと共に前記ネットワークを介して取得し、これらを対応付けて登録し、前記完了通知メール生成手段は、前記選択された申込情報に対応する前記登録された写真画像に基づいて遺影画像を生成し、当該生成された遺影画像が貼り付けられた完了通知メールを生成し、前記完了通知メール送信手段は、前記遺影画像が貼り付けられた前記完了通知メールを前記申込者の端末に送信することを特徴とする。
【００１０】
更に、上記第１の発明に係る供養申込受付装置においては、前記完了通知メール生成手段は、前記選択された申込情報に対応する前記登録された写真画像に対して油絵化処理を施して油絵調の遺影画像を生成することを特徴とする。
【００１１】
上記課題を解決するため、第２の発明は、申込者の端末及びお寺の端末がネットワークを介して接続される祈願申込受付装置であって、前記ネットワークを介した前記申込者の端末からの要求に応じて、少なくとも、祈願対象の名称、祈願実施日、及びメールアドレスの入力欄と、祈願内容の選択欄とが設けられた申込入力画面を当該申込者の端末に表示させる申込入力画面提示手段と、前記表示された申込入力画面の前記入力欄に入力された祈願対象の名称、祈願実施日、祈願内容、及びメールアドレスを前記ネットワークを介して取得すると共に、前記選択欄にて選択された祈願内容を認識し、これらを対応付けて登録する申込情報登録手段と、前記ネットワークを介した前記お寺の端末からの要求に応じて、少なくとも前記登録された祈願対象の名称、祈願実施日、及び祈願内容が含まれる申込情報を当該お寺の端末に選択可能に表示させる申込情報提示手段と、前記お寺の端末にて選択された申込情報に対応する祈願実施の完了通知メールを生成する完了通知メール生成手段と、前記選択された申込情報に対応するメールアドレスに基づいて前記生成された完了通知メールを前記申込者の端末に送信する完了通知メール送信手段と、を備えることを特徴とする。
【００１２】
更に、上記第２の発明に係る供養申込受付装置においては、祈願内容に応じてイラストが互いに異なる複数のイラスト画像を登録するイラスト画像データベースを更に備え、前記完了通知メール生成手段は、前記選択された申込情報に対応する前記登録された祈願内容に応じたイラスト画像を前記イラスト画像データベースから取得し、当該イラスト画像が貼り付けられた完了通知メールを生成し、前記完了通知メール送信手段は、前記イラスト画像が貼り付けられた前記完了通知メールを前記申込者の端末に送信することを特徴とする。
【００１３】
また、供養申込受付処理プログラムは、コンピュータを上記第１の発明に係る供養申込受付装置として機能させることを特徴とする。
【００１４】
また、祈願申込受付処理プログラムは、コンピュータを上記第２の発明に係る祈願申込受付装置として機能させることを特徴とする。  
【発明の効果】
【００１５】
上記発明によれば、申込者は、遠方等何らかの理由によりお寺まで行く事が困難であっても、所望のお寺に対して、より簡単に供養や祈願を申込み、より効率的、効果的にその供養や祈願をお寺の住職等に実施させ、その結果を有用な完了通知メールとして取得することができる。また、お寺は、供養や祈願を行う者を増大させることができ、しかも、端末から簡単に供養や祈願の完了を申込者に通知することができる。
【発明を実施するための最良の形態】
【００１６】
以下、図面を参照して本発明の最良の実施形態について詳細に説明する。なお、以下に説明する実施の形態は、供養・祈願申込システムに対して本発明を適用した場合の実施形態である。
【００１７】
［供養・祈願申込システムＳの構成等］
先ず、図１を参照して本発明の一実施形態にかかる供養・祈願申込システムの構成について説明する。
【００１８】
図１は、本実施形態にかかる供養・祈願申込システムのハードウェア構成の一例を示す図である。
【００１９】
図１に示すように、供養・祈願申込システムＳは、本発明の供養申込受付装置及び祈願申込受付装置としての供養・祈願申込受付サーバ１と、申込者の端末２と、お寺の端末３と、を備えて構成されており、申込者の端末２及びお寺の端末３は、ネットワークの一例としてのインターネットを介して供養・祈願申込受付サーバ１に接続されるようになっている。なお、申込者の端末２は、実際には複数存在することになる。
【００２０】
申込者の端末２及びお寺の端末３には、例えば汎用のパーソナルコンピュータを適用でき、ＣＰＵ等からなる制御部、ＨＤＤ（Hard Disc Drive）等の記憶部、キーボード，マウス等の入力部、モニタ等の表示部、及び通信部等を備えている。また、申込者の端末２及びお寺の端末３は、Ｗｅｂブラウザ機能を有しており、これにより、申込者の端末２及びお寺の端末３は、供養・祈願申込受付サーバ１のＵＲＬ（Uniform Resource Locator）を指定して、例えば所定のインターネットサービスプロバイダ及びインターネットを介して供養・祈願申込受付サーバ１に接続し、供養・祈願申込受付サーバ１から提供（送信）されたＷｅｂページデータ等を受信してモニタ上に表示させるようになっている。
【００２１】
供養・祈願申込受付サーバ１は、制御部、記憶部、及び通信部等を備えたコンピュータにより構成され、インターネット上で各種情報提供サービスを行うＷｅｂサーバとして機能するようになっている。
【００２２】
供養・祈願申込受付サーバ１の制御部は、演算機能を有するＣＰＵ、作業用ＲＡＭ、及び各種プログラムやデータを記憶するＲＯＭ等によって構成される。そして、ＣＰＵが例えばＲＯＭ或いは記憶部に記憶されたプログラム（供養申込受付処理プログラム及び祈願申込受付処理プログラム等：これらのプログラムは、インターネット上の所定のサーバからダウンロードされて記憶部に記憶されてもよいし、ＣＤ−ＲＯＭ等の記録媒体に記録されて提供され、記憶部に記憶されてもよい）を実行することにより、制御部は、本発明の申込入力画面提示手段、申込情報登録手段、申込情報提示手段、完了通知メール生成手段、及び完了通知メール送信手段として機能するようになっている。
【００２３】
また、供養・祈願申込受付サーバ１の記憶部は、例えばＨＤＤ等からなり、ここには、申込情報データベース１ａ、イラスト画像データベースを有する画像データベース１ｂ、及び提示画面データベース１ｃが構築されている。
【００２４】
申込情報データベース１ａには、申込者の端末２にて入力された供養や祈願の申込情報、メールアドレス（例えば、申込者の端末２のメールアドレス）、更には、申込者の端末２から送信された供養対象の写真画像データ、申込者の端末２にて選択された位牌画像データ等が申込毎に対応付けられ申込受付番号が付与されて登録されている。この申込情報としては、例えば、供養対象（例えば、先祖、ペット、有名人、水子等）の名称（例えば、名前、戒名等）、供養実施日（例えば、日付、期間等）、供養対象の命日、祈願対象（例えば、申込者本人や友人等）の名称、祈願実施日（例えば、日付、期間等）、祈願内容（例えば、受験合格、家内安全、交通安全、病封じ、商売繁盛、無病息災等）等が挙げられる。
【００２５】
画像データベース１ｂには、複数の種類の位牌画像データ、及び祈願内容に応じてイラストが互いに異なる複数のイラスト画像データ等が登録（記憶）されている。
【００２６】
ここで、「祈願内容に応じてイラストが互いに異なる」とは、例えば、祈願内容「受験合格」には矢のイラストが対応し、祈願内容「病封じ」には、薬壷のイラストが対応し、祈願内容「商売繁盛」には夫婦が万歳するイラストが対応し、祈願内容「無病息災」には、獅子のイラストが対応するように、各祈願内容に固有のイラストがあることを意味する。
【００２７】
なお、位牌画像及びイラスト画像は、公知の画像作成プログラムがインストールされたパーソナルコンピュータ上で、デザイナー等により作成され画像データベース１ｂに登録されてもよいし、手書きのイラストをスキャナーでパーソナルコンピュータ上に取り込んで画像データベース１ｂに登録されてもよい。
【００２８】
提示画面データベース１ｃには、供養・祈願申込受付サーバ１から端末２又は端末３に表示される画面の画面データ（例えば、ＨＴＭＬ（Hyper Text Markup Language）やＸＭＬ（Extensible Markup Language）形式のデータ）や、当該画面上に埋め込まれるテキストデータや画像データ等が登録（記憶）されている。
【００２９】
また、供養・祈願申込受付サーバ１の通信部は、インターネットを介した申込者の端末２又はお寺の端末３との間の通信制御を行うようになっている。
【００３０】
なお、本実施形態においては、供養・祈願申込受付サーバ１が申込情報データベース１ａ等を備えるように構成したが、別の例として、供養・祈願申込受付サーバ１に専用線を介して接続されたデータベースサーバを設け、かかるデータベースサーバに、申込情報データベース１ａ、及び画像データベース１ｂ等を備えさせるように構成してもよい。
【００３１】
この場合、供養・祈願申込受付サーバ１は、データベースサーバを介してこれらのデータベース１ａ及び１ｂに情報を登録（記憶）、又はそこから取得することになる。
【００３２】
以上の供養・祈願申込システムＳの構成において、供養・祈願申込受付サーバ１は、申込者の端末２から供養又は祈願の申込情報を受け、その申込情報をお寺の端末３に伝送し、当該お寺の端末３から、その申込情報に係る供養又は祈願実施の完了通知があった場合には、申込者の端末２にその完了通知メールを送信することになる。
【００３３】
［供養・祈願申込システムＳの動作］
以下に、このような供養・祈願申込システムＳにおける詳細な動作について、供養・祈願申込受付サーバ１を主体として説明する。図２は、祈願又は供養申込の際における供養・祈願申込受付サーバ１の制御部の処理を示すフローチャートである。図３乃至図５は、申込者の端末２のモニタ上に表示される画面例である。図６は、祈願又は供養の実施完了の際における供養・祈願申込受付サーバ１の制御部の処理を示すフローチャートである。図７は、お寺の端末３のモニタ上に表示される画面例である。図８及び図９は、申込者の端末２に送信される完了通知メール例を示す図である。
【００３４】
図２に示す処理では、先ず、申込者が、端末２の入力部を操作して供養・祈願申込受付サーバ１の供養、祈願申込サイトのＵＲＬを指定すると、当該端末２がインターネットを介して供養・祈願申込受付サーバ１に接続する。供養・祈願申込受付サーバ１は、これに応じ、提示画面データベース１ｃからメニュー画面データ等を取得してインターネットを介して端末２に送信して、表示（端末２のブラウザ機能により）させる（ステップＳ１）。
【００３５】
こうして、端末２のモニタ上に表示されたメニュー画面例を図３に示す。図３に示すように、メニュー画面５０には、お寺の名称等が表示されていると共に、「ご供養」ボタン５０ａ及び「ご祈願」ボタン５０ｂ等が設けられている。
【００３６】
このような表示状態で、申込者が、端末２の入力部を操作して例えば「ご供養」ボタン５０ａを指定（クリック）すると、供養・祈願申込受付サーバ１は、これに応じ（ステップＳ２：Ｙ）、ステップＳ５に移行する。一方、申込者が、「ご祈願」ボタン５０ｂを指定（クリック）すると、供養・祈願申込受付サーバ１は、これに応じ（ステップＳ３：Ｙ）、ステップＳ１０に移行する。図２に示すステップＳ４におけるその他の処理では、ボタン５０ａ及び５０ｂ以外のボタンの指定により、例えばお寺の案内提示処理等が行われる。
【００３７】
ステップＳ５では、供養・祈願申込受付サーバ１は、提示画面データベース１ｃから供養種類選択画面データ等を取得してインターネットを介して端末２に送信して表示させる。こうして端末２のモニタ上に表示された供養種類選択画面には、図示しないが、「先祖供養」、「ペット供養」、「有名人供養」、及び「水子供養」等の供養種類のそれぞれに対応するボタンが設けられている。このような表示状態で、申込者が、所望の種類の供養のボタン、例えば、「ペット供養」ボタンを指定（クリック）すると、供養・祈願申込受付サーバ１は、これに応じ（ステップＳ６：Ｙ）、申込入力画面提示手段として、提示画面データベース１ｃから「ペット供養」の申込入力画面データ等を取得してインターネットを介して端末２に送信して表示させる（ステップＳ７）。
【００３８】
こうして、端末２のモニタ上に表示された「ペット供養」の申込入力画面例を図４に示す。図４に示すように、申込入力画面５１には、供養対象（ペット）の名称（例えば、名前や戒名）、ペットの種類、及び命日を入力するための入力欄５１ａ、供養実施日（供養実施期間）を入力するための入力欄５１ｂ、メールアドレスを入力するための入力欄５１ｃ、位牌画像を選択するための選択部５１ｄ、供養対象（先祖）の写真画像を指定するための指定欄５１ｅ、及び「申込完了」ボタン５１ｆ等が設けられている。入力欄５１ｂでは、月日等の入力により、供養日の日付指定（Ｘ年Ｘ月Ｘ日）、断続指定（毎月のＸ年Ｘ月Ｘ日）、又は連続指定（Ｘ年Ｘ月Ｘ日〜Ｘ日間）をすることができる。入力欄５１ｃには、供養実施の完了通知メールの送信先が入力される。また、選択部５１ｄには、画像データベース１ｂから複数の種類の位牌画像が取得されて、各位牌画像が選択可能（各位牌画像の選択欄のクリックによる）に表示されるようになっている。また、指定欄５１ｅには、供養・祈願申込受付サーバ１に提供（送信）したい供養対象の写真画像の記憶場所（例えば、端末２の記憶部におけるパス（C:\xxxx.））が入力指定される。
【００３９】
このような表示状態において、申込者が端末２の入力部を操作して入力欄５１ａ乃至５１ｃに供養対象（ペット）の名称、命日、供養実施日、及びメールアドレスを入力し、選択部５１ｄにて所望の位牌画像を選択し、指定欄５１ｅにて写真画像の記憶場所を指定した後、「申込完了」ボタン５１ｆを指定（クリック）すると、供養・祈願申込受付サーバ１は、これに応じ（ステップＳ８：Ｙ）、申込情報登録手段として、入力された供養対象（ペット）の名称、命日、供養実施日、メールアドレス、及び写真画像のデータをインターネットを介して取得すると共に、選択された位牌画像のデータを認識し、これらのデータを対応付け、申込受付番号を付与して申込情報データベース１ａに登録する（ステップＳ９）。
【００４０】
なお、上記ステップＳ６の処理において「先祖供養」、「有名人供養」、又は「水子供養」のボタンが指定（クリック）された場合に表示される各申込入力画面にも、「先祖供養」の申込入力画面と同様の入力欄、選択部、及びボタン等が設けられ、更に「先祖供養」、「有名人供養」、又は「水子供養」に特有の入力欄が設けられることになる。
【００４１】
一方、ステップＳ１０では、供養・祈願申込受付サーバ１は、提示画面データベース１ｃから祈願種類選択画面データ等を取得してインターネットを介して端末２に送信して表示させる。こうして端末２のモニタ上に表示された祈願種類選択画面には、図示しないが、「護摩祈願」、「星祭り祈願」等の祈願種類のそれぞれに対応するボタンが設けられている。
【００４２】
このような表示状態で、申込者が、所望の種類の祈願のボタン、例えば、「護摩祈願」ボタンを指定（クリック）すると、供養・祈願申込受付サーバ１は、これに応じ（ステップＳ１１：Ｙ）、申込入力画面提示手段として、提示画面データベース１ｃから「護摩祈願」の申込入力画面データ等を取得してインターネットを介して端末２に送信して表示させる（ステップＳ１２）。
【００４３】
こうして、端末２のモニタ上に表示された「護摩祈願」の申込入力画面例を図５に示す。図５に示すように、申込入力画面５２には、祈願対象（例えば、申込者本人）の名称（例えば、名前）を入力するための入力欄５２ａ、祈願実施日（祈願実施期間）を入力するための入力欄５２ｂ、メールアドレスを入力するための入力欄５２ｃ、祈願内容を選択するための選択欄５２ｄ、及び「申込完了」ボタン５２ｅ等が設けられている。
【００４４】
このような表示状態において、申込者が端末２の入力部を操作して入力欄５２ａ乃至５２ｃに、祈願対象の名称、祈願実施日、及びメールアドレスを入力し、選択欄５２ｄにて所望の祈願内容を選択した後、「申込完了」ボタン５２ｅを指定（クリック）すると、供養・祈願申込受付サーバ１は、これに応じ（ステップＳ１３：Ｙ）、申込情報登録手段として、入力された祈願対象の名称、祈願実施日、及びメールアドレスのデータをインターネットを介して取得すると共に、選択された祈願内容のデータを認識し、これらのデータを対応付け、申込受付番号を付与して申込情報データベース１ａに登録する（ステップＳ１４）。
【００４５】
次に、供養・祈願申込受付サーバ１は、提示画面データベース１ｃから申込受付完了画面データ等を取得すると共に、上記ステップＳ９又はＳ１４にて登録された申込受付番号及びこれに対応する登録された申込情報を申込情報データベース１ａから取得してインターネットを介して端末２に送信して表示させる（ステップＳ１５）。
【００４６】
こうして、端末２のモニタ上に表示された申込受付完了画面には、図示しないが、上記申込受付番号及び申込情報（例えば、供養（又は祈願）対象の名称、供養（又は祈願）実施日）が確認として表示されると共に、当該申込に必要な金額、その振込み先の銀行名及び口座番号等の情報が表示される。申込者はかかる情報に基づき、申込に必要な金額を銀行に振込むこととなる（銀行振込の際、申込者は、申込受付番号を入力する）。かかる銀行振込は、例えば、お寺の住職によって確認される。
【００４７】
図６に示す処理では、先ず、お寺の例えば住職が、端末３の入力部を操作して供養・祈願申込受付サーバ１の申込確認サイトのＵＲＬを指定すると、当該端末３がインターネットを介して供養・祈願申込受付サーバ１に接続する。供養・祈願申込受付サーバ１は、これに応じ、申込情報提示手段として、提示画面データベース１ｃから申込状況確認画面データ等を取得すると共に、申込状況確認画面に表示されるべき申込情報等を申込情報データベース１ａから取得してインターネットを介して端末３に送信して、表示（端末３のブラウザ機能により）させる（ステップＳ２１）。
【００４８】
こうして、端末３のモニタ上に表示された申込状況確認画面例を図７に示す。図７に示すように、申込状況確認画面５３には、申込情報データベース１ａに登録された複数の申込情報（供養対象の名称（又は祈願対象の名称）、供養実施日（又は祈願実施日）、供養種類（又は祈願種類）等））及び申込受付番号がリスト形式に表示されていると共に、各申込情報に対応する実施完了選択欄５３ａ、及び「完了」ボタン５３ｂが設けられている。
【００４９】
このような申込状況確認画面５３にて、お寺の住職は、供養又は祈願の申込を確認し、例えば、銀行振込があった申込受付番号に対応する供養又は祈願（祈祷）の実施を実施日（実施期間）に行うこととなる。
【００５０】
そして、申込状況確認画面５３において、お寺の住職は、端末３の入力部を操作して、完了した供養又は祈願に対応する申込情報を実施完了選択欄５３ａにて選択した後、「完了」ボタン５３ｂを指定（クリック）すると、供養・祈願申込受付サーバ１は、これを認識し（ステップＳ２２：Ｙ）、完了通知メール生成手段として、選択された申込情報に対応する供養実施（又は祈願実施）の完了通知メールを生成する（ステップＳ２３）。この時生成される完了通知メールには、供養実施（又は祈願実施）の完了を示す記述と共に、当該申込情報（供養対象の名称（又は祈願対象の名称）、供養実施日（又は祈願実施日）、供養種類（又は祈願種類）等））及び申込受付番号が記述される。
【００５１】
更に、この完了通知メールには、供養対象又は祈願内容に応じた画像が貼り付けられる。例えば、供養の場合、供養・祈願申込受付サーバ１は、ステップＳ９にて登録された当該申込情報に対応する位牌画像及び供養対象の名称を取得し、当該位牌画像上に供養対象の名称を記述して提供位牌画像を生成し、当該提供位牌画像を上記完了通知メールに貼り付ける。
【００５２】
また、供養の場合、供養・祈願申込受付サーバ１は、ステップＳ９にて登録された当該申込情報に対応する写真画像を取得し、当該写真画像を遺影画像として上記完了通知メールに貼り付けるようにしてもよい。更にこの時、供養・祈願申込受付サーバ１は、当該写真画像に対して油絵化処理を施して油絵調の遺影画像を生成し、当該生成された遺影画像を上記完了通知メールに貼り付けるようにしてもよい。この「油絵化処理」では、例えば、写真画像を複数の類似色領域（例えば、色の彩度又は明度が一定範囲にある領域）に区分（これにより、例えば、赤色を中心とする所定範囲の色領域、黄色を中心とする所定範囲の色領域、白色を中心とする所定範囲の色領域等に区分される）し、各領域を例えばその中心色で塗りつぶして油絵調の遺影画像を生成する。
【００５３】
更にまた、供養の場合、供養・祈願申込受付サーバ１は、上記位牌画像上に供養対象の名称を重畳させて提供位牌画像を生成すると共に、上記写真画像に対して油絵化処理を施して油絵調の遺影画像を生成した後、当該提供位牌画像を当該遺影画像上に重畳させた画像を上記完了通知メールに貼り付けるようにしてもよい。
【００５４】
一方、祈願の場合、供養・祈願申込受付サーバ１は、ステップＳ１４にて登録された当該申込情報に対応する祈願内容に応じたイラスト画像を画像データベース１ｂから取得し、当該イラスト画像を上記完了通知メールに貼り付ける。
【００５５】
次いで、供養・祈願申込受付サーバ１は、完了通知メール送信手段として、ステップＳ９又はステップＳ１４に登録された当該申込情報に対応するメールアドレスを取得し、これに基づいて、上記完了通知メールをインターネットを介して申込者の端末２に送信する（ステップＳ２４）。
【００５６】
こうして、申込者の端末２に送信され、モニタ上に表示される完了通知メール例を図８及び図９に示す。図８は、供養実施の完了通知メール例であり、図９は、祈願実施の完了通知メール例である。図８の例では、完了通知メール上には、供養実施の完了を示す記述と共に、供養種類（ペット供養）、供養対象（ねこ）の名称（ＡＡＡ）、供養実施日（２００３年１０月１日）、及び申込受付番号（００１０）が記述されており、更に、供養対象（ねこ）の名称（ＡＡＡ）が記述された提供位牌画像６１が重畳された供養対象の油絵調の遺影画像６２が貼り付けられている。このような油絵調の遺影画像が貼り付けられることによって、見る者に対し実際の写真画像よりも、軟らかく、暖かい印象を与えることができる。
【００５７】
一方、図９の例では、完了通知メール上には、祈願実施の完了を示す記述と共に、祈願種類（護摩祈願）、祈願対象の名称（ＢＢＢ）、祈願内容（商売繁盛）、祈願実施日（２００３年１０月１日）、及び申込受付番号（００１１）が記述されており、更に、祈願内容に応じたイラスト画像６３が貼り付けられている。
【００５８】
このような完了通知メールにより、申込者は、自己が申し込んだ供養又は祈願の実施完了を知ることができ、更に、申込者は、完了通知メールを端末２の記憶部内に保管し、必要に応じてモニタ上に表示させ拝んだり、印刷して祭ったりすることができる。
【００５９】
以上説明したように、上記実施形態によれば、申込者は、遠方等何らかの理由によりお寺まで行く事が困難であっても、所望のお寺に供養や祈願の申込みを端末２から簡単に行うことができ、その供養や祈願を希望日にお寺の住職等に実施させ、その結果を有用な完了通知メールとして取得することができる。また、お寺は、供養や祈願を行う者を増大させることができ、しかも、端末３から簡単に供養や祈願の完了を申込者に通知することができる。
【００６０】
更に、完了通知メールには、供養対象の遺影画像や位牌画像や、祈願内容に応じたイラスト画像が自動的に貼り付けられるので、お寺の手を煩わせることなく、より効果的に供養又は祈願の実施完了を申込者に伝えることができ、更に、申込者は、当該完了通知メールをモニタ上に表示させたり、印刷したりして、お札等として有効に活用することができる。
【図面の簡単な説明】
【００６１】
【図１】本実施形態にかかる供養・祈願申込システムのハードウェア構成の一例を示す図である。
【図２】祈願又は供養申込の際における供養・祈願申込受付サーバ１の制御部の処理を示すフローチャートである。
【図３】申込者の端末２のモニタ上に表示される画面例である。
【図４】申込者の端末２のモニタ上に表示される画面例である。
【図５】申込者の端末２のモニタ上に表示される画面例である。
【図６】祈願又は供養の実施完了の際における供養・祈願申込受付サーバ１の制御部の処理を示すフローチャートである。
【図７】お寺の端末３のモニタ上に表示される画面例である。
【図８】申込者の端末２に送信される完了通知メール例を示す図である。
【図９】申込者の端末２に送信される完了通知メール例を示す図である。
【符号の説明】
【００６２】
１  供養・祈願申込受付サーバ
２  申込者の端末
３  お寺の端末
Ｓ  供養・祈願申込システム
【図１】
2005157614.tif 000003
【図２】
2005157614.tif 000004
【図３】
2005157614.tif 000005
【図４】
2005157614.tif 000006
【図５】
2005157614.tif 000007
【図６】
2005157614.tif 000008
【図７】
2005157614.tif 000009
【図８】
2005157614.tif 000010
【図９】
2005157614.tif 000011